(57)【要約】【課題】板状印刷体を印刷台に強く固定する印刷機を提供することを目的する。【解決手段】板状印刷体１５を載せるための印刷台４と、板状印刷体１５に対してインキを転写するよう移動可能なインキ転写手段７と、板状印刷体１５の側面に当接して板状印刷体１５を所定位置に調整する見当手段２１、２２とを備えた印刷機において、見当手段２１、２２は、上端が印刷台４の上面と略同じ高さで、印刷台４の外側面から内に延びる略垂直な平板からなり、該延び方向に移動可能な移動部５６と、前記移動部の上端に裏面が固定され、先端が板状印刷体の側面に当接する部分となる当接部５７とをからなることとしている。【選択図】      図１
2004223808.tif 000002
【特許請求の範囲】
【請求項１】
板状印刷体を載せるための印刷台と、
前記印刷台の上面に載せた板状印刷体に対してインキを転写するよう移動可能なインキ転写手段と、
前記印刷台の上面に載せた板状印刷体の側面に当接して板状印刷体を所定位置に調整する見当手段とを備えた印刷機において、
見当手段は、
上端が前記印刷台の上面と略同じ高さで、前記印刷台の外側面から内に延びる略垂直な平板からなり、該延び方向に移動可能な移動部と、
前記移動部の上端に裏面が固定され、先端が板状印刷体の側面に当接する部分となる当接部とからなることを特徴とする印刷機。
【請求項２】
請求項２に記載の印刷機において、
前記移動部の垂直な平板を挟み、所定間隔離れて対向する略垂直な内壁面からなる溝を前記印刷台が備えたことを特徴とする印刷機。
【請求項３】
請求項１から２に記載の印刷機において、
前記印刷台の上面に開口し、所定間隔を置いて形成されている、複数の空気吸引孔を備え、前記当接部が前記空気吸引孔同士の間に配置されていることを特徴とする印刷機。
【発明の詳細な説明】
【０００１】
【発明の属する技術分野】
本発明は、ガラスの板状物等の板状印刷体を印刷台の上面の所定位置から横ずれしないようにする見当手段を有する印刷機に関し、特に、板状印刷体を印刷台に強固に固定できる印刷機に関するものである。
【０００２】
【従来の技術】
従来の印刷機として、図７〜９に示すような板状印刷体に印刷をする印刷機２５がある。
【０００３】
〈架台〉
架台１の上部両端に直線状レールであるガイド１４が平行して設けられていて、このガイド１４の間に、このガイド１４に沿って印刷台４、版台６、インキ供給装置９が順に設置されている。印刷フレーム３がこのガイド１４に沿って移動する。また、印刷台４は架台１に固設したベース５上に取り付けられている。また、印刷台４は架台１に固設したベース５上に取り付けられている。印刷台４の周囲には、印刷台４上の板状印刷体１５の側面に当接して支持する位置決め用見当手段２１と押し付け用見当手段２２が配置されている。
【０００４】
〈印刷フレーム〉
印刷フレーム３には、印刷版１６から転写されたインキを転写するブランケット胴７とインキ供給装置９から転移供給されたインキを印刷版１６に転移供給するインキ着けローラ８が組み込まれている。このブランケット胴７が印刷フレーム３に偏芯ブッシュを介して支持されて、上下できるようになされている。ブランケット胴７の両端の軸１７にはそれぞれ歯車１８が設けられている。
【０００５】
〈ブランケット胴〉
架台１上の両端に、ガイド１４に沿って、ラック２が平行して設けられている。ブランケット胴７が下に下がったとき、そのラック２の歯がブランケット胴７の歯車２０と噛合うので、印刷フレーム３の移動に伴いブランケット胴７は回転するようになっている。
【０００６】
〈インキ着けローラ〉
インキ着けローラ８もブランケット胴７と同様に、偏芯ブッシュを介して印刷フレーム３に支えられていて、上下できるようになされている。インキ着けローラ８の片方の軸１９にも歯車２０が設けられている。インキ着けローラ８が下がったときに、ラック２と歯車２０が噛み合うので、印刷フレーム３の移動に伴い、インキ着けローラ８が回転するようになっている（例えば、特許文献１参照）。
【０００７】
〈印刷フレームの可動手段〉
このような印刷機２５の印刷フレーム３の可動手段を説明する。印刷フレーム３の一方の側面部材に固着されたブラケット１０にナット部が設けられており、回転駆動手段１３により回転される送りねじ１１がこのナット部に螺合している。これにより、回転駆動手段１３で送りねじ１１を回転させることにより、印刷フレーム３はガイド１４に案内されて、図８の右側の実線から左側の点線で示す位置まで移動したり、戻ったりできる。
【０００８】
〈空気吸引孔〉
上記した印刷台４の上面には、小孔３０が縦横所定間隔をあけて規則的に多数穿設されており、この小孔３０は配管と電磁弁を経て真空ポンプに連結されている。即ち、印刷台４の上面に開口する空気吸引孔３０が規則的な行列をなして多数形成されている。そして、板状印刷体１５がこの印刷台４の上面に載置され正規の位置状態にセットされると  空気吸引孔３０からの真空吸引を開始して、その吸引力により板状印刷体１５を印刷台４へしっかりと固定するようになっている。
【０００９】
〈昇降手段〉
また、板状印刷体１５を印刷台４の上面に降ろしたり、印刷台４よりも上に持ち上げたりする昇降手段を有する。印刷台４の上面に開口する４本の貫通孔を穿設し、各孔３０に昇降棒を嵌装させている。この昇降棒を貫通孔から突き出したり、収納したりすることにより、昇降手段としている。
【００１０】
〈印刷機の動作〉
このような印刷機２５の動作について説明する。初めに、昇降棒を上昇させて、印刷台４の上方に上昇待機させて、搬送装置から板状印刷体１５を受け取った後、昇降棒を下降させて、板状印刷体１５を印刷台４の上面に載せる。板状印刷体１５は、その側端に当接して支持する見当手段２１、２２により、横ずれしないよう所定の位置に設定される。板状印刷体１５や見当手段２１、２２により覆われていない空気吸引孔３０を覆うため複数枚の適当な大きさの遮蔽板又は遮蔽シートを準備し配置する。その後、空気吸引孔３０からの真空吸引を開始し、板状印刷体１５を印刷台４に吸引力で固定させる。
【００１１】
この状態で、印刷フレーム３を移動させて、板状印刷体１５に印刷をする。即ち、インキ着けローラ８にインキ供給装置９からインキを移転供給し、次に、印刷フレーム３を移動させて、版台６に載せた印刷版１６にインキ着けローラ８を回転させながら押し付けて、インキ着けローラ８に着いているインキを印刷版１６に移転供給する。
【００１２】
次に、印刷フレーム３を移動させて、印刷版１６にブランケット胴７を回転させながら押し付けて、インキをブランケット胴７に転写し、さらに、印刷フレーム３を移動させて、印刷台４に載せた板状印刷体１５にブランケット胴７を回転させながら押し付けて、ブランケット胴７に転写されたインキを板状印刷体１５に印刷する。このように、印刷フレーム３の移動とインキ着けローラ８やブランケット胴７の操作により、板状印刷体１５に印刷を行う。
【００１３】
印刷が終了した後、上記と逆の操作を行う。すなわち、真空吸引を停止した後見当手段２１、２２による板状印刷体１５への当接支持を緩め、昇降棒を上昇させて、板状印刷体１５を上方に持ち上げた状態にする。搬送装置がこの状態の板状印刷体１５をつかまえて、次の工程に移送する。
【００１４】
〈見当手段〉
印刷台４には、印刷台４の上面に移載された板状印刷体１５の位置を正確に規定する見当手段２１、２２が設けられている。即ち、印刷台４の上面の載せた板状印刷体１５の外周４側面の内、隣り合う２側面に当接して押圧できる押付け用見当手段２２と、前記２側面に対向する２側面に当接して位置ずれを制限する位置決め用見当手段２１とを配設させている。
【００１５】
〈位置決め用見当手段〉
図５に示すように、位置決め用見当手段２１を印刷台４における印刷フレーム３の走行方向１面に２組、その直角面の片方に１組配置させたもので、各々、印刷台４の上面において摺動する水平平板からなる位置決め用当て板３２と、該当て板３２を調整移動させる移動機構３３を装備している。
【００１６】
この移動機構３３は、印刷台４の側部に取り付けた固定具３４と、この固定具３４に水平方向に貫通するよう形成したメネジ孔３５と、このメネジ孔３５にねじ結合しながら貫通支持する調整ネジ３６と、この調整ネジ３６の頭部につけられた調整ハンドル３７とからなる。調整ネジ３６の先には、位置決め用当て板３２を取り付けた摺動部３８が結合されている。調整ハンドル３７により、調整ネジ３６を回して、位置決め用当て板３２を取り付けた摺動部３８を移動すべく構成している。位置決め用見当手段２１の当て板３２は種々大きさの板状印刷体１５に対応すべく、長さの異なるものを摺動部３８に対し選択的に着脱できる構造となっている。
【００１７】
〈押付け用見当手段〉
次に、押付け用見当手段２２は前記位置決め用見当手段２１に対向して配置されており、印刷台４の上面において摺動する水平平板からなる押付け用当て板３９と、該当て板３９を移動させる移動機構４０を装備している。
【００１８】
この移動機構４０は、印刷台４に取り付けた固定具４１にエアシリンダ４２を設け、エアシリンダ４２の伸縮作動により、押付け用当て板３９を取り付けた摺動部４３を移動すべく構成したものである。
押付け用当て板３９も前記位置決め用当て板３２と同様、種々大きさの板状印刷体１５に対応すべく長さの異なるものを選択的に着脱できる構造となっている。
【００１９】
〈板状印刷体の位置設定〉
板状印刷体１５の位置設定について説明する。
先ず、板状印刷体１５の大きさに対応して、位置決め用見当手段２１及び押し付け用見当手段２２の当て板３２、３９を選択し装着する。次に、調整ハンドル３７を介して調整ネジ３６を回し、摺動部３８を移動させて、位置決め用当て板３２の位置決めを行う。
【００２０】
上記設定後、板状印刷体１５を搬入し、印刷台４の上面に載置する。
次に、押し付け用見当手段２２の移動手段であるエアシリンダ４２を作動させ、押付け用当て板３９を押し出す事によって、板状印刷体１５を移動させ、位置決め用見当手段２１の当て板３２先端に当接させる。以上により、板状印刷体１５の位置を確定させた後、真空吸引によって、板状印刷体１５を吸引固定する。
【００２１】
【特許文献１】
特開平１１−１３８７５１号公報（段落０００９〜段落００１１、図６、図７）
【００２２】
【発明が解決しようとする課題】
ところで、当て板３２、３９の厚みが通常約１．５ｍｍと薄い上、印刷台４に対して面積の小さい板状印刷体１５の場合ほど、当て板３２、３９の長さが長くなり、厚み方向の曲げ剛性が弱くなる。板状印刷材１５の側面に押し当てた時、該当て板３２、３９が板状印刷体１５上に乗り上げ易く、位置合わせの失敗を起こしやすい。なお、当て板３２、３９は、印刷台４上でのブランケット胴７などの作動の邪魔にならないように、薄いことが望ましい。
【００２３】
当て板３２、３９に覆われる空気吸入孔３０は当て板３２、３９により塞がれる事になるが、当て板３２、３９は剛性が低い上、押し付け力が働くため、上方に浮き上がって曲がりやすく、空気漏れが生じやすい。また、当て板３２、３９の剛性を確保するため、当て板の幅を広くするほど、当て板３２、３９自身で空気吸引孔３０を塞ぐ事になり、空気漏れが発生しやすい。
【００２４】
真空ポンプを効率よく使いかつ板状印刷体１５をしっかり固定するためには、板状印刷体１５で覆われていない空気吸引孔３０から空気が流入しないように塞ぐことが必要となる。このため、当て板３２、３９や板状印刷体１５で覆われない空気吸引孔３０のある箇所に、予め、複数枚の遮蔽板又は遮蔽シートを配置する作業が行われるが、準備作業に長時間が掛る。本発明は、上記課題を解決し、板状印刷体１５を印刷台４に強固に固定できる見当手段２１、２２を備えた印刷機の提供を目的とするものである
【００２５】
【課題を解決するための手段】
本発明は、上記課題を解決するため、以下の手段を採用することとした。
請求項１の発明は、板状印刷体を載せるための印刷台と、前記印刷台の上面に載せた板状印刷体に対してインキを転写するよう移動可能なインキ転写手段と、前記印刷台の上面に載せた板状印刷体の側面に当接して板状印刷体を所定位置に調整する見当手段とを備えた印刷機において、見当手段は、上端が前記印刷台の上面と略同じ高さで、前記印刷台の外側面から内に延びる略垂直な平板からなり、該延び方向に移動可能な移動部と、前記移動部の上端に裏面が固定され、先端が板状印刷体の側面に当接する部分となる当接部とからなることとしている。
【００２６】
この構成により、移動部を平板としその広がりを水平方向ではなく垂直方向にすることで、垂直方向の曲げ剛性を高めているので、移動部が垂直上方に変形して当接部が板状印刷体の上に乗り上げる様な事体が生じ難いため、板状印刷体を所定位置に調整する見当手段の機能の信頼性が高まる。また、移動部は印刷台の上面高さから下に延びる平板であるため、剛性を高めるために大きくしても、インキ転写手段が印刷台の上を移動する際のさまたげとならず、インキ転写手段による印刷が円滑に行われる。
【００２７】
また、板状印刷体に覆われない空気吸引孔から空気が流入するのを防止するため、印刷台の上面において板状印刷体で覆われない部分を遮蔽シートや遮蔽板で覆うが、移動部が遮蔽シートや遮蔽板の配置の邪魔にならないので、遮蔽シートや遮蔽板の準備作業が簡単になる。なお、当接部と移動部とは、一体として機能するものであるので、一体として形成してもよく、また、複数の部材同士を固定して形成してもよく、固定箇所は当接部の裏面と移動部の上端とは限らない。
【００２８】
請求項２に記載の発明は、請求項１に記載の印刷機において、前記移動部の垂直な平板を挟み、所定間隔離れて対向する略垂直な内壁面からなる溝を前記印刷台が備えたこととしている。
【００２９】
この構成により、移動部を垂直な平板とした場合、水平方向の曲げ剛性が垂直方向の曲げ剛性に比べて小さいが、平板を挟む内壁面が移動部の水平方向の曲げ変形を妨げるので、移動部の曲げ変形による当接部の位置ずれが生じ難いため、板状印刷体を所定位置に調整するという見当手段の機能の信頼性が高まる。なお、所定間隔は、平板の移動を許容しながら、見当手段の位置調整精度に支障がでる程にまで平板が曲がることを内壁面が妨げることができる程度の間隔である。
【００３０】
請求項３に記載の発明は、請求項１から２に記載の印刷機において、前記印刷台の上面に開口し、所定間隔を置いて形成されている、複数の空気吸引孔を備え、前記当接部が前記空気吸引孔同士の間に配置されていることとしている。
【００３１】
この構成により、空気吸引孔同士の間、即ち、空気吸引孔のないところに見当手段の当接部があるので、空気吸引孔を見当手段が覆うことに起因する空気吸引孔への空気流入が生じないため、板状印刷体を吸引固定する吸引力を高めることができる。
【００３２】
【発明の実施の形態】
本実施の形態において、印刷機の大部分は従来技術として上述したものと同じであるため、反復を避けて、上述した従来技術と同じ内容のところは説明を省略し、図１から図４を用いて、見当手段および印刷台の従来技術と異なるところを中心に説明をする。尚、上述した従来のものと共通する部品、部位については同一の符号を付してある。また、ブランケット胴７を主な構成要素として、印刷台４の上面に載せた板状印刷体１５に対してインキを転写するよう移動可能なインキ転写手段としている。
【００３３】
〈見当手段〉
印刷台４には、印刷台４の上面に移載された板状印刷体１５の位置を正確に規定する見当手段２１、２２が設けられている。即ち、印刷台４の上面の載せた板状印刷体１５の外周４側面のうち、隣り合う２側面に当接して押圧できる押付け用見当手段２２と、前記２側面に対向する２側面に当接して位置ずれを制限する位置決め用見当手段２１とを配設させている。
【００３４】
〈位置決め用見当手段〉
図１に示すように、位置決め用見当手段２１を印刷台４における印刷フレーム３の走行方向１面に２組、その直角面の片方に１組配置させたもので、各々、位置決め用当て板５１と、該当て板５１を調整移動させる移動機構３３を装備している。
【００３５】
この移動機構３３は、印刷台４の側部に取り付けた固定具３４と、この固定具３４に水平方向に貫通するよう形成したメネジ孔３５と、このメネジ孔３５にねじ結合しながら貫通させた調整ネジ３６と、この調整ネジ３６の頭部につけられた調整ハンドル３７とからなる。調整ネジ３６の先には、位置決め用当て板５１を取り付けた摺動部３８が結合されている。調整ハンドル３７により、調整ネジ３６を回して、位置決め用当て板５１を取り付けた摺動部３８を移動すべく構成している。
【００３６】
〈押付け用見当手段〉
次に、押付け用見当手段２２は  前記位置決め用見当手段２１に対向して配置されており、押付け用当て板５２と、該当て板５２を移動させる移動機構４０を装備している。
【００３７】
この移動機構４０は、印刷台４に取り付けた固定具４１にエアシリンダ４２を設け、エアシリンダ４２の伸縮作動により、押付け用当て板５２を取り付けた摺動部４３を移動すべく構成したものである。
【００３８】
〈当て板と印刷台の溝〉
印刷台４には、その上面に開口する径２ｍｍ程度の空気吸引孔３０が規則的な行列をなして多数形成されている。この印刷台４の上面において、板状印刷体１５に影響を与えない幅の溝５３を加工形成する。この溝５３は、固定具３４、４１が固定されている印刷台４外周から内に向かい、空気吸入孔３０同士の間を直線的に延びている。なお、図面では空気吸引孔３０を明示するため、他の部分の相対的な大きさと関係なく、大きく記載している。
【００３９】
この溝５３に対し図２及び図３に示す如き先端部にＴあるいはＬ型断面形状を有する当て板５１、５２を移動可能に挿入して取り付けている。この溝５３は、当て板５１、５２の幅にわずかな隙間を加えた幅を隔てて対抗する垂直な内壁面５８を備えてなる。この内壁面５８により、当て板５１、５２が水平方向に曲がるのを妨げている。このような構造的な工夫により、当て板５１、５２が曲がりにくくなっているため、当て板５１、５２をコンパクトにできる。
【００４０】
〈当て板〉
当て板５１、５２は、図２及び図３に示すように形成されている、当て板５１、５２を構成する平板５４、５６は、広がりのある方向が上下になるよう、垂直に配置され、前記の溝５３の中を、固定具３４、４１が固定されている印刷台４外周から内に向かい延びている。また、平板５４、５６の上端は印刷台４の上面と同じ高さとなっている。さらに、当て板５１、５２の構成として、平板５４、５６の延びた先の先端部上端に、空気吸引孔３０を塞がない程度の小さな水平なプレート５５、５７を固設している。
【００４１】
即ち、この平板５４、５６は、この行列をなす空気吸引孔３０同士の間に配置され、上端が前記印刷台４の上面と略同じ高さで、前記印刷台４の外側面から内に延び、該延び方向に移動可能な移動部５４、５６となる。また、このプレート５５、５７は、前記空気吸引孔３０同士の間に配置され、前記移動部５４、５６の上端に裏面が固定され、先端が板状印刷体１５の側面に当接する部分となる水平板状の当接部５５、５７となる。なお、当接部５５、５７であるプレート５５、５７は小さくてよいため剛性が高く力を加えても変形しにくい。
【００４２】
平板５４、５６は垂直に配置され、上下方向（垂直方向）の剛性が強くなっているため、平板５４、５６が上下方向（垂直方向）に曲がって、当て板５１、５２が板状印刷体１５の上に乗り上げたり、下にもぐったりすることはなく、見当手段の信頼度を高めている。
【００４３】
当接部であるプレート５５、５７は、前記空気吸引孔３０同士の間に配置されているので、このプレート５５、５７が原因となる前記空気吸引孔３０への空気流入は生じないため、板状印刷体１５を吸引固定する吸引力を高めることができる。
【００４４】
平板５４、５６の後端は従来のものと同様に、摺動部３８、４３に対し容易に着脱できる構造となっている。従って、種々大きさの板状印刷体１５に対応して、長さの異なるものを摺動部３８、４３に対して選択的に簡単に着脱できる。
【００４５】
〈遮蔽板、遮蔽シート〉
板状印刷体１５で遮蔽されない空気吸引孔３０を遮蔽板又は遮蔽シート３１で覆って塞ぐ作業を行うが、遮蔽板又は遮蔽シート３１を板状印刷体１５およびプレート５５、５７に対応する穴のあいた１枚の板又はシートとして形成する事が可能であるため、遮蔽板又は遮蔽シート３１の準備や配置が容易である。また、１枚としない場合でも、従来のように当て板３２、３９の間ごとに、別々の遮蔽板等を配置する必要がないため、その枚数を減らすことができて、準備や配置が容易である。
【００４６】
【発明の効果】
以上説明した本発明においては以下の効果を奏する。
請求項１記載の発明によれば、移動部を平板としその広がりを水平方向ではなく垂直方向にすることで、垂直方向の曲げ剛性を高めているので、移動部が垂直上方に変形して当接部が板状印刷体の上に乗り上げる様な事体が生じ難いため、板状印刷体を所定位置に調整する見当手段の機能の信頼性が高まる。また、移動部は印刷台の上面高さから下に延びる平板であるため、剛性を高めるために大きくしても、インキ転写手段が印刷台の上を移動する際のさまたげとならず、インキ転写手段による印刷が円滑に行われる。
【００４７】
また、板状印刷体に覆われない空気吸引孔から空気が流入するのを防止するため、印刷台の上面において板状印刷体で覆われない部分を遮蔽シートや遮蔽板で覆うが、移動部が遮蔽シートや遮蔽板の配置の邪魔にならないので、遮蔽シートや遮蔽板の準備作業が簡単になる。
【００４８】
請求項２記載の発明によれば、移動部を垂直な平板とした場合、水平方向の曲げ剛性が垂直方向の曲げ剛性に比べて小さいが、平板を挟む内壁面が移動部の水平方向の曲げ変形を妨げるので、移動部の曲げ変形による当接部の位置ずれが生じ難いため、板状印刷体を所定位置に調整するという見当手段の機能の信頼性が高まる。
【００４９】
請求項３記載の発明によれば、空気吸引孔同士の間、即ち、空気吸引孔のないところに見当手段の当接部があるので、空気吸引孔を見当手段が覆うことに起因する空気吸引孔への空気流入が生じないため、板状印刷体を吸引固定する吸引力を高めることができる。
【図面の簡単な説明】
【図１】本発明の一実施形態に係る印刷台と見当手段の平面図
【図２】本発明の一実施形態に係る印刷台と見当手段の断面図
【図３】本発明の一実施形態に係る印刷台と見当手段の要部断面図
【図４】図３のＡＡ面の要部断面図
【図５】従来の印刷台と見当手段の平面図
【図６】従来の印刷台と見当手段の断面図
【図７】従来および本発明の一実施形態に係る印刷機の平面図
【図８】従来および本発明の一実施形態に係る印刷機の断面図
【図９】従来および本発明の一実施形態に係る印刷機の側面図
【符号の説明】
１…架台
２…ラック
３…印刷フレーム
４…印刷台
５…ベース
６…版台
７…ブランケット胴
８…インキ着けローラ
９…インキ供給装置
１０…ブラケット
１１…送りねじ
１３…回転用駆動手段
１４…ガイド
１５…板状印刷体
１６…印刷版
１７…ブランケット胴の軸
１８…ブランケット胴の歯車
１９…インキ着けローラの軸
２０…インキ着けローラの歯車
２１…位置決め用見当手段
２２…押し付け用見当手段
２５…印刷機
３０…空気吸引孔
３１…遮蔽板又はシート
３２…位置決め用当て板
３３…移動機構（位置決め用見当手段用）
３４…固定具（位置決め用見当手段）
３５…メネジ孔
３６…調整ネジ
３７…調整ハンドル
３８…摺動部（位置決め用見当手段用）
３９…押し付け用当て板
４０…移動機構（押し付け用見当手段用）
４１…固定具（押し付け用見当手段用）
４２…エアシリンダ
４３…摺動部（押し付け用見当手段用）
５１…位置決め用当て板
５２…押し付け用当て板
５３…溝
５４…平板、移動部（位置決め用見当手段用）
５５…プレート、当接部（位置決め用見当手段用）
５６…平板、移動部（押し付け用見当手段用）
５７…プレート、当接部（押し付け用見当手段用）
５８…内壁面
【図１】
2004223808.tif 000003
【図２】
2004223808.tif 000004
【図３】
2004223808.tif 000005
【図４】
2004223808.tif 000006
【図５】
2004223808.tif 000007
【図６】
2004223808.tif 000008
【図７】
2004223808.tif 000009
【図８】
2004223808.tif 000010
【図９】
2004223808.tif 000011